(57)【要約】【課題】左手と右手の握る位置をシャフト部材の長手方向において互いに等しくする。【解決手段】ヘッド部材１と非長尺のシャフト部材２とを有し、シャフト部材２の遊端部と平行な1対のグリップ部材３を有し、1対のグリップ部材３がシャフト部材２の遊端部を基準として対向状態で配置されている。【選択図】図１
0003131124.tif 000002
【実用新案登録請求の範囲】
【請求項１】
ヘッド部材（１）と非長尺のシャフト部材（２）とを有し、シャフト部材（２）の遊端部と平行な1対のグリップ部材（３）を有し、1対のグリップ部材（３）がシャフト部材（２）の遊端部を基準として対向状態で配置されていることを特徴とするパタークラブ。
【請求項２】
非長尺のシャフト部材（２）は、ゴルフプレーヤーが両手を垂れた状態で把持できる長さのものである請求項１に記載のパタークラブ。
【請求項３】
ヘッド部材（１）は、Ｔ型のものである請求項１に記載のパタークラブ。
【請求項４】
シャフト部材（２）に対して、グリップ部材（３）の長さだけ離れた状態で取り付けられる１対の取り付け板部材（４）をさらに含み、グリップ部材（３）は１対の取り付け板部材（４）に取り付けられている請求項１に記載のパタークラブ。
【請求項５】
１対の取り付け板部材（４）は、各グリップ部材（３）に対応する複数の取り付け部（４１）を有している請求項４に記載のパタークラブ。
【考案の詳細な説明】
【技術分野】
【０００１】
本考案はパタークラブに関する。
【背景技術】
【０００２】
従来から、パタークラブとして、ヘッド部材とシャフト部材とを有し、シャフト部材の遊端部にゴム等からなるグリップ部材を装着した構成のものが提供されている。
ここで、ヘッド部材としては、ピン型のもの、マレット型のもの等、種々の形状のものが提供されている。
【０００３】
また、シャフト部材としては、スチール製のもの、カーボン樹脂製のもの等、種々の材質のものが提供されている。さらに、シャフト部材のうち、ヘッド部材と連結される部分の形状として、直線状のもの、ヘッド部材をオフセットさせるために湾曲させたもの等、種々の形状のものが提供されている。
【０００４】
したがって、ゴルフプレーヤーが自己の好みにあったパタークラブを持って、グリーン上のゴルフボールにアドレスし、パタークラブをストロークすることによって、ゴルフボールをホールに向かって転がすことができる。
【考案の開示】
【考案が解決しようとする課題】
【０００５】
長尺でないシャフト部材を有するパタークラブを使用する場合には、両手でグリップ部材を握るのであるが、左手と右手とでは握る位置がシャフト部材の長手方向において異なるので、パタークラブを持ってグリーン上のゴルフボールにアドレスした場合に、下側に位置する手の側の肩などが前に出てしまい、この結果、パタークラブをスクエアにストロークすることが困難になり、ゴルフボールがホールからずれた位置に向かって転がることになってしまう。
【０００６】
このような不都合の発生を防止しようとすれば、例えば、他人にアドレスの姿勢、ストロークの仕方などをみてもらい、上記の不都合が生じないように姿勢などを変更することが必要になるが、常に変更した姿勢をとることができる保証がない。
【０００７】
本考案は上記の問題点に鑑みてなされたものであり、左手と右手の握る位置をシャフト部材の長手方向において互いに等しくすることができるパタークラブを提供することを目的としている。
【課題を解決するための手段】
【０００８】
本考案のパタークラブは、ヘッド部材と非長尺のシャフト部材とを有し、シャフト部材の遊端部と平行な1対のグリップ部材を有し、1対のグリップ部材がシャフト部材の遊端部を基準として対向状態で配置されたものである。
【０００９】
したがって、1対のグリップ部材を左手と右手で握ることによって、簡単にゴルフボールに対してアドレスをとることができる。
【００１０】
ここで、非長尺のシャフト部材は、ゴルフプレーヤーが両手を垂れた状態で把持できる長さのものであればよい。
【００１１】
また、ヘッド部材は、Ｔ型のものであることが好ましい。
【００１２】
さらに、シャフト部材に対して、グリップ部材の長さだけ離れた状態で取り付けられる１対の取り付け板部材をさらに含み、グリップ部材は１対の取り付け板部材に取り付けられていることが好ましく、１対の取り付け板部材が、各グリップ部材に対応する複数の取り付け部を有していることがより好ましい。
【考案の効果】
【００１３】
左手と右手の握る位置をシャフト部材の長手方向において互いに等しくすることができ、アドレス時の姿勢の乱れを防止することができる。そして、ヘッドアップをも防止することができる。
【考案を実施するための最良の形態】
【００１４】
以下、添付図面を参照して、本考案のパタークラブの実施の形態を詳細に説明する。
図１は本考案のパタークラブの一実施形態を示す概略斜視図、図２はグリップ側からみた概略平面図、図３はグリップ部分を概略的に示す縦断面図である。
【００１５】
このパタークラブは、ヘッド部材１と、非長尺のシャフト部材２と、1対のグリップ部材３と、シャフト部材２に対して1対のグリップ部材３を取り付けるための1対の取り付け板部材４とを有している。
【００１６】
前記非長尺のシャフト部材２は、ゴルフプレーヤーが両手を垂れた状態で把持できる長さのものである。そして、フェースを遅らせるためのオフセットを有していない。
前記ヘッド部材１は、ピン型のもの、マレット型のもの等、種々の形状のものであってもよいが、Ｔ型のものであることが好ましい。
【００１７】
前記１対の取り付け板部材４は、シャフト部材２に対して、グリップ部材３の長さだけ離れた状態で取り付けられるものである。具体的には、各グリップ部材３に対応する複数の取り付け部４１を有していることが好ましい。
【００１８】
前記グリップ部材３は、１対の取り付け板部材４の任意の取り付け部４１に取り付けられている。何れの取り付け部４１にグリップ部材３を取り付けるべきかは、ゴルフプレーヤーの手の大きさなどを考慮して定めればよい。
【００１９】
前記ヘッド部材１は、従来公知の方法によってシャフト部材２に取り付けられている。
前記1対の取り付け板部材４のうち、シャフト部材２の端部に位置するものは、例えば、シャフト部材２に埋め込み状に固定されたナット部材２１に対してボルト部材４２を締め付けることによって取り付けられる。そして、他の取り付け板部材４は、シャフト部材２に対して緊密に嵌合されている。加えて、この他の取り付け板部材４は、シャフト部材２に対する傾き、ぐらつき等を防止できる程度に十分な厚さを有している。
【００２０】
前記グリップ部材３は、シャフト部材２と等しい外径の筒状体であり、両端部にナット部材３１が埋め込み状に固定されている。そして、取り付け板部材４を貫通するように、任意の取り付け部４１においてボルト部材３２を締め付けることによって取り付け板部材４に取り付けられる。
【００２１】
ここで、ボルト部材３２、４２は頭部が取り付け板部材４から突出しないように締め付けられることが好ましい。
【００２２】
そして、シャフト部材２に対する1対のグリップ部材３の相対位置は、ゴルフボールをヒットするためのストローク方向において、シャフト部材２を挟んで互いに反対側に位置するように設定される。
【００２３】
上記のように構成されたパタークラブを使用する場合には、ヘッド部材１のフェースをターゲットに向けた状態でゴルフプレーヤーがスタンスを決め、この状態において、1対のグリップ部材３を右手、左手で握ることによって、セットアップを完了する。
【００２４】
この状態においては、右手と左手の高さ位置が互いに等しいのであるから、何れかの肩が前に出てしまうという不都合が生じることを未然に防止することができる。
【００２５】
以上のようにしてセットアップが完了した後は、そのままストロークを行うことによって、ターゲットに向けてゴルフボールを打ち出すことができる。換言すれば、何れかの肩が前に出てしまった状態でストロークを行うことによって、ターゲットから僅かに外れた方向にゴルフボールを打ち出してしまうという不都合の発生を防止することができる。
【図面の簡単な説明】
【００２６】
【図１】本考案のパタークラブの一実施形態を示す概略斜視図である。
【図２】グリップ側からみた概略平面図である。
【図３】グリップ部分を概略的に示す縦断面図である。
【符号の説明】
【００２７】
１  ヘッド部材
２  シャフト部材
３  グリップ部材
４  取り付け板部材
４１  取り付け部
【図１】
0003131124.tif 000003
【図２】
0003131124.tif 000004
【図３】
0003131124.tif 000005